(57)【要約】【課題】一対の表面材の突片が断熱スペーサと骨材の見込み部の間に差し込まれるのを防止する。【解決手段】断熱パネル１の骨材８は、見込み部８Ａを有する。断熱スペーサ５０は、骨材８に取り付けられ、見込み部８Ａに配置される。一対の表面材４０は、断熱スペーサ５０を挟んで見込み部８Ａと対向する突片４２を有し、互いの間に骨材８を配置した状態で対向する。断熱スペーサ５０の本体部５１は、見込み部８Ａと一対の表面材４０の突片４２の間に配置される。断熱スペーサ５０の一対の覆い部５４は、見込み部８Ａの両側の縁部８Ｃにおいて、見込み部８Ａと本体部５１の間の部分を覆う。【選択図】  図４
2018178431.tif 000002
【特許請求の範囲】
【請求項１】
見込み部を有する骨材と、
前記骨材に取り付けられ、前記見込み部に配置される断熱スペーサと、
前記断熱スペーサを挟んで前記見込み部と対向する突片を有し、互いの間に前記骨材を配置した状態で対向する一対の表面材と、
を備えた断熱パネルであって、
前記断熱スペーサは、前記見込み部と前記一対の表面材の突片の間に配置される本体部と、前記見込み部の両側の縁部において前記見込み部と前記本体部の間の部分を覆う一対の覆い部を有する断熱パネル。
【請求項２】
請求項１に記載された断熱パネルにおいて、
前記一対の覆い部は、前記本体部から前記見込み部側に突出して、前記見込み部の両側に配置される断熱パネル。
【請求項３】
請求項１又は２に記載された断熱パネルにおいて、
前記骨材は、前記見込み部に形成された取付孔を有し、
前記断熱スペーサは、前記本体部から突出して前記見込み部の取付孔内に取り付けられる突起を有する断熱パネル。
【請求項４】
請求項１ないし３のいずれかに記載された断熱パネルにおいて、
前記見込み部に配置される断熱ライナー又は加熱発泡材を備え、
前記断熱スペーサは、前記本体部に、前記断熱ライナーの端部又は前記加熱発泡材の端部を収容して位置決めする凹部を有する断熱パネル。
【請求項５】
請求項１ないし４のいずれかに記載された断熱パネルにおいて、
前記見込み部における前記本体部の反対側に配置されて、丁番と連結される裏板を備え、
前記骨材は、前記見込み部の両側の縁部に位置し、前記一対の覆い部が配置される一対の孔部を有し、
前記一対の覆い部は、前記一対の孔部で前記裏板の両側に配置されて、前記裏板を係止する断熱パネル。
【請求項６】
請求項１ないし５のいずれかに記載された断熱パネルを備えた建具。
【発明の詳細な説明】
【技術分野】
【０００１】
本発明は、一対の表面材の間に配置された骨材を備えた断熱パネルと、断熱パネルを備えた建具に関する。
【背景技術】
【０００２】
ドア等の建具では、熱の伝達を抑制するため、互いに対向する一対の表面材を備えた断熱パネルが使用されている。一対の表面材の間には骨材が配置され、一対の表面材の突片が骨材の見込み部と対向して配置される。表面材の突片と骨材の見込み部の間には断熱スペーサが設けられて、表面材の突片と骨材の見込み部との接触が防止される。また、従来、一対の断熱部品を骨材に取り付けて、各表面材の屈曲片部と骨材の見込み面の間に断熱部品を配置する断熱ドアが知られている（特許文献１参照）。
【０００３】
ところが、特許文献１に記載された従来の断熱ドアでは、骨材を一対の表面材で覆うときに、断熱部品と骨材の見込み面の間に表面材の屈曲片部が差し込まれることが懸念される。この場合には、表面材の屈曲片部の配置をやり直す必要がある。また、表面材の屈曲片部を配置した後に、屈曲片部の差し込みがないか確認する必要もあり、作業効率が低下する虞がある。従って、断熱部品による断熱構造の確実な実施に加えて、作業効率を向上させるためにも、屈曲片部の差し込みを防止することが求められる。
【先行技術文献】
【特許文献】
【０００４】
【特許文献１】特開２０１６−２２３１４５号公報
【発明の概要】
【発明が解決しようとする課題】
【０００５】
本発明は、前記従来の問題に鑑みなされたもので、その目的は、一対の表面材の突片が断熱スペーサと骨材の見込み部の間に差し込まれるのを防止して、骨材の見込み部と突片の間に断熱スペーサを確実に配置することである。
【課題を解決するための手段】
【０００６】
本発明は、見込み部を有する骨材と、前記骨材に取り付けられ、前記見込み部に配置される断熱スペーサと、前記断熱スペーサを挟んで前記見込み部と対向する突片を有し、互いの間に前記骨材を配置した状態で対向する一対の表面材と、を備えた断熱パネルである。前記断熱スペーサは、前記見込み部と前記一対の表面材の突片の間に配置される本体部と、前記見込み部の両側の縁部において前記見込み部と前記本体部の間の部分を覆う一対の覆い部を有する。
また、本発明は、本発明の断熱パネルを備えた建具である。
【発明の効果】
【０００７】
本発明によれば、一対の表面材の突片が断熱スペーサと骨材の見込み部の間に差し込まれるのを防止して、骨材の見込み部と突片の間に断熱スペーサを確実に配置することができる。
【図面の簡単な説明】
【０００８】
【図１】第１実施形態の断熱パネルを備えた建具の正面図である。
【図２】第１実施形態の断熱パネルの縦断面図である。
【図３】第１実施形態の断熱パネルの横断面図である。
【図４】第１実施形態の断熱パネルを分解して示す斜視図である。
【図５】第２実施形態の断熱パネルの横断面図である。
【図６】第２実施形態の断熱パネルを分解して示す斜視図である。
【図７】第３実施形態の断熱パネルの横断面図である。
【発明を実施するための形態】
【０００９】
本発明の断熱パネルと建具の一実施形態について、図面を参照して説明する。
本実施形態の断熱パネルは、断熱構造を備えたパネル体であり、本実施形態の建具に設けられる。以下では、玄関等に設置されるドア（断熱ドア）を例にとり、断熱パネルの複数の実施形態について説明する。
【００１０】
（第１実施形態）
図１は、第１実施形態の断熱パネル１を備えた建具１０の正面図である。図１において、左右方向が水平方向であり、上下方向が垂直方向である。
図示のように、建具１０は、枠体２０と、枠体２０の開口部２１に配置される断熱パネル１と、断熱パネル１を枠体２０に開閉可能に連結する丁番１１と、断熱パネル１を施錠する施錠機構１２と、断熱パネル１の開閉に用いられるハンドル１３を備えている。建具１０が建物の開口部に設置されて、断熱パネル１の開閉により、枠体２０の開口部２１が開閉される。
【００１１】
枠体２０は、建物の開口部に設置される方形状のドア枠であり、方形状の断熱パネル１を囲む。また、枠体２０は、枠組みされた４つの枠２２〜２５（上枠２２、下枠２３、一対の縦枠２４、２５）を有し、枠２２〜２５により、方形状の開口部２１を形成する。枠２２〜２５は、枠体２０を構成する長尺な枠材であり、端部同士を接続した状態で、方形状に組み合わされる。上枠２２と下枠２３は、左右方向に延び、一対の縦枠２４、２５は、上下方向に延びる。
【００１２】
断熱パネル１は、回動可能な開閉体であり、回動により、枠体２０の開口部２１を閉鎖する全閉位置と、枠体２０の開口部２１を開放する全開位置とに移動する。丁番１１は、枠体２０と断熱パネル１に固定されて、断熱パネル１を回動可能に支持する。２つの丁番１１が、縦枠２５及び断熱パネル１の縦縁部の長手方向に離して配置されて、縦枠２５と断熱パネル１の縦縁部に固定される。
【００１３】
図２、図３は、第１実施形態の断熱パネル１の断面図であり、断熱パネル１の概略構成を示している。図２は、断熱パネル１を上下方向に切断した縦断面図であり、図３は、断熱パネル１を左右方向に切断した横断面図である。
図示のように、断熱パネル１は、カバー部材３０と、骨組体４と、一対の表面材４０と、断熱ライナー３１と、断熱部品３２と、帯状部材３３と、断熱スペーサ５０を備えている。カバー部材３０は、断熱パネル１の先端部（丁番１１の反対側に位置する断熱パネル１の縦縁部）に取り付けられて、断熱パネル１の先端部を覆う。
【００１４】
骨組体４は、方形状のフレームであり、枠組みされた４つの骨材５〜８（上骨材５、下骨材６、一対の縦骨材７、８）を有する。一方の縦骨材７は、断熱パネル１の先端部側に位置する先端部側骨材であり、他方の縦骨材８は、丁番１１側に位置して丁番１１により支持される丁番側骨材（支持骨材）である。骨材５〜８は、断熱パネル１の長尺な構造材であり、端部同士を接続した状態で、方形状に組み合わされる。骨材５〜８は、それぞれ見込み部５Ａ〜８Ａと一対の壁部５Ｂ〜８Ｂを有し、骨材５〜８の長手方向に直交する断面形状は、凹形状に形成されている。骨材５〜８は、例えば、金属（鋼、アルミニウム合金等）製の溝形材から形成される。
【００１５】
見込み部５Ａ〜８Ａは、骨組体４の外周に位置する骨材５〜８の板状の外周部であり、各骨材５〜８の見込み方向に沿って形成される。一対の壁部５Ｂ〜８Ｂは、骨材５〜８の板状の見付け部であり、各骨材５〜８の見付け方向に沿って形成される。一対の壁部５Ｂ〜８Ｂは、見込み部５Ａ〜８Ａの両側の縁部５Ｃ〜８Ｃから断熱パネル１の内方側に向かって突出し、各骨材５〜８の見込み方向において互いに対向する。
【００１６】
ここでは、建具１０と断熱パネル１の方向に関し、骨材５〜８の見込み方向は、断熱パネル１の厚さ方向であり、骨材５〜８の見付け方向は、各骨材５〜８の長手方向と見込み方向に直交する方向である。建具１０と断熱パネル１を正面からみたときに、上下方向に長尺な縦骨材７、８では、左右方向が見付け方向であり、左右方向に長尺な上骨材５と下骨材６では、上下方向が見付け方向である。また、縁部５Ｃ〜８Ｃは、骨材５〜８の見込み方向における見込み部５Ａ〜８Ａの端部（骨材５〜８の長手方向に沿う見込み部５Ａ〜８Ａの縁部）である。
【００１７】
一対の表面材４０は、断熱パネル１の表面に位置する方形状の薄板であり、互いの間に骨材５〜８を配置した状態で、互いに対向する。表面材４０は、例えば、金属（鋼、アルミニウム合金等）製の薄板から形成される。一対の表面材４０は、それぞれ対向部４１と突片４２を有し、対向部４１と突片４２により、骨組体４及び骨材５〜８を覆う。骨材５〜８が一対の表面材４０の間に配置されて、骨材５〜８の見込み部５Ａ〜８Ａが一対の表面材４０の突片４２と対向する。一対の表面材４０の対向部４１は、骨材５〜８の見込み方向の両側に配置されて、互いに対向する。骨材５〜８が両側の対向部４１の間に配置されて、対向部４１が骨材５〜８の壁部５Ｂ〜８Ｂに沿って配置される。一対の壁部５Ｂ〜８Ｂは、一対の表面材４０の対向部４１と対向する。
【００１８】
表面材４０の突片４２は、骨材５〜８の長手方向に延びる対向部４１の４つの縁部から突出する。４つの突片４２が、対向部４１の４つの縁部に連続して形成されて、断熱パネル１の外周に配置される。突片４２は、表面材４０の縁部側の部分を屈曲させた屈曲片（屈曲縁部）であり、対向部４１に対して、骨材５〜８の見込み方向の内側に屈曲する。骨材５〜８のそれぞれの位置で、一対の表面材４０の突片４２は、互いに近接する方向に屈曲して、骨材５〜８の見込み部５Ａ〜８Ａに沿って配置される。また、一対の表面材４０の突片４２は、先端同士を対向させた状態で、互いに対向する。
【００１９】
断熱ライナー３１、断熱部品３２の断熱板３４、帯状部材３３、及び、断熱スペーサ５０は、骨材５〜８と一対の表面材４０の間に配置されて、一対の表面材４０を骨材５〜８から離間した位置に配置する。これにより、一対の表面材４０は、骨材５〜８と接触せず、骨材５〜８に対して間隔を開けて配置される。断熱ライナー３１、断熱部品３２、及び、断熱スペーサ５０は、断熱材であり、例えば、合成樹脂（スチレン樹脂、ＡＢＳ樹脂、ＡＥＳ樹脂等）で形成される。
【００２０】
断熱ライナー３１は、合成樹脂製の帯状の樹脂ライナーであり、骨材５〜８の一対の壁部５Ｂ〜８Ｂに取り付けられて、骨材５〜８の長手方向に沿って配置される。断熱ライナー３１は、例えば、壁部５Ｂ〜８Ｂに貼り付けられて、骨材５〜８の長手方向の全長にわたって、壁部５Ｂ〜８Ｂに配置される。断熱ライナー３１は、一対の壁部５Ｂ〜８Ｂと一対の表面材４０の対向部４１の間に配置される。断熱部品３２は、合成樹脂製の樹脂部品であり、３つの骨材５〜７（上骨材５、下骨材６、縦骨材７）の見込み部５Ａ〜７Ａに取り付けられる。骨材５〜７の長手方向の複数箇所で、一対の断熱部品３２が並置される。
【００２１】
断熱部品３２は、断熱板３４と、断熱板３４から突出する脚部３５を有する。脚部３５は、骨材５〜７の見込み部５Ａ〜７Ａに形成された係止孔に挿入されて、見込み部５Ａ〜７Ａに係止される。これにより、断熱部品３２が見込み部５Ａ〜７Ａに取り付けられて、断熱板３４が見込み部５Ａ〜７Ａに配置される。また、表面材４０の突片４２が断熱板３４に被せるように配置されて、断熱板３４が見込み部５Ａ〜７Ａと突片４２の間に配置される。取付部材３６（ここでは、リベット）が、突片４２、断熱板３４、及び、見込み部５Ａ〜７Ａの取付孔に挿入されて、突片４２を骨材５〜７の見込み部５Ａ〜７Ａに取り付ける。一対の表面材４０は、複数の取付部材３６により、骨材５〜７及び骨組体４に取り付けられる。
【００２２】
帯状部材３３は、帯状の機能部材であり、３つの骨材５、６、８（上骨材５、下骨材６、縦骨材８）の見込み部５Ａ、６Ａ、８Ａに配置される。帯状部材３３は、断熱ライナー３１と同様の断熱ライナー、又は、加熱発泡材であり、例えば、見込み部５Ａ、６Ａ、８Ａに貼り付けられる。加熱発泡材は、熱膨張耐火材（例えば、膨張黒鉛）であり、火災等の熱により加熱されたときに発泡して膨張する。
【００２３】
帯状部材３３は、骨材５、６、８の見込み部５Ａ、６Ａ、８Ａに取り付けられて、骨材５、６、８の長手方向に沿って配置される。また、帯状部材３３は、見込み部５Ａ、６Ａ、８Ａと一対の表面材４０の突片４２の間に配置される。上骨材５と下骨材６（図２参照）では、帯状部材３３は、一対の断熱部品３２の断熱板３４の間に設けられ、骨材５、６の長手方向の全長にわたって、見込み部５Ａ、６Ａに配置される。縦骨材８（図３参照）では、帯状部材３３と断熱スペーサ５０が、見込み部８Ａと一対の表面材４０の突片４２の間に配置される。
【００２４】
図４は、第１実施形態の断熱パネル１を分解して示す斜視図であり、断熱スペーサ５０を含む断熱パネル１の一部を示している。
図３、図４に示すように、断熱スペーサ５０は、縦骨材８に取り付けられて、縦骨材８の少なくとも見込み部８Ａに配置される。また、断熱スペーサ５０は、縦骨材８の長手方向の一部に設けられて、見込み部８Ａで、２つの帯状部材３３の間に配置される。断熱スペーサ５０は、縦骨材８の長手方向の複数箇所に設けられる。ここでは、断熱スペーサ５０は、２つの丁番１１の位置に設けられて、見込み部８Ａに装着される。
【００２５】
断熱スペーサ５０は、縦骨材８の見込み部８Ａに配置される本体部５１と、本体部５１に一体に形成された突起５２と、本体部５１に形成された凹部５３と、本体部５１に対して見込み部８Ａ側に屈曲する一対の覆い部５４を有する。断熱スペーサ５０の本体部５１は、板状のスペーサ本体であり、突起５２により、縦骨材８の見込み部８Ａに取り付けられる。見込み部８Ａの両側の縁部８Ｃの間で、本体部５１は、見込み部８Ａに沿って配置されるとともに、見込み部８Ａと一対の表面材４０の突片４２の間に配置される。
【００２６】
一対の表面材４０の突片４２は、断熱スペーサ５０（本体部５１）を挟んで、縦骨材８の見込み部８Ａと対向する。断熱スペーサ５０は、本体部５１により、突片４２を見込み部８Ａから離間した位置に配置する。これにより、見込み部８Ａと突片４２は、互いに接触せず、間隔を開けた状態で対向する。一対の表面材４０の突片４２は、断熱スペーサ５０の本体部５１に接触する。
【００２７】
断熱スペーサ５０の突起５２は、本体部５１の中央部に形成された柱状の取付部であり、本体部５１から縦骨材８の見込み部８Ａに向かって突出する。縦骨材８は、見込み部８Ａに形成された取付孔８Ｄ（例えば、ネジ孔）を有する。断熱スペーサ５０の本体部５１を見込み部８Ａに配置するときに、突起５２は、見込み部８Ａの取付孔８Ｄに挿入されて、取付孔８Ｄ内に配置される。また、突起５２は、取付孔８Ｄに押し込まれて、取付孔８Ｄに嵌め込まれる。これにより、突起５２は、見込み部８Ａの取付孔８Ｄ内に取り付けられる。突起５２により、断熱スペーサ５０は、縦骨材８の見込み部８Ａに取り付けられる。
【００２８】
断熱スペーサ５０の凹部５３は、帯状部材３３の端部３３Ａを位置決めする位置決め部であり、本体部５１に凹状に形成されて、帯状部材３３の端部３３Ａを収容する。凹部５３により、帯状部材３３の端部３３Ａは、縦骨材８の見込み部８Ａにおいて位置決めされて、見込み部８Ａの所定位置に配置される。帯状部材３３は、断熱スペーサ５０の本体部５１に対して、縦骨材８の長手方向の両側に設けられ、縦骨材８の長手方向に沿って配置される。両側の２つの帯状部材３３に対応して、断熱スペーサ５０は、本体部５１に２つの凹部５３を有する。２つの凹部５３は、縦骨材８の長手方向における本体部５１の両端部に形成される。帯状部材３３の長手方向の端部３３Ａが凹部５３内に配置されて、帯状部材３３の端部３３Ａが縦骨材８の見込み方向において位置決めされる。
【００２９】
断熱スペーサ５０の一対の覆い部５４は、本体部５１から突出する突出部であり、本体部５１の両側の縁部に連続して形成されている。縦骨材８の見込み部８Ａは、一対の覆い部５４の間に配置されて、断熱スペーサ５０の本体部５１と対向する。見込み部８Ａの両側の縁部８Ｃにおいて、一対の覆い部５４は、見込み部８Ａと本体部５１の間の部分（図３のＲ部）を覆う。
【００３０】
見込み部８Ａと本体部５１は、接触し、又は、隙間を形成した状態で対向する。そのため、見込み部８Ａと本体部５１の間の部分は、見込み部８Ａと本体部５１の接触部、又は、見込み部８Ａと本体部５１の間の隙間部であり、一対の覆い部５４により遮蔽される。縦骨材８と一対の表面材４０の間で、一対の覆い部５４は、少なくとも見込み部８Ａと本体部５１の間の部分を覆う。
【００３１】
ここでは、一対の覆い部５４は、本体部５１から見込み部８Ａ側に突出し、縦骨材８の見込み方向において、見込み部８Ａの両側に配置される。そのため、一対の覆い部５４は、見込み部８Ａと本体部５１の間の部分と見込み部８Ａの両側の縁部８Ｃを覆う。また、一対の覆い部５４は、本体部５１から縦骨材８の一対の壁部８Ｂまで突出して、一対の壁部８Ｂの見込み部８Ａ側の部分を覆う。一対の覆い部５４は、一対の壁部８Ｂの両側に配置されて、それぞれ壁部８Ｂに沿って突出する。一対の覆い部５４は、互いの間に見込み部８Ａを挟むとともに、それぞれ壁部８Ｂに接触する。
【００３２】
縦骨材８の見込み部８Ａは、丁番１１が固定される固定部８Ｅを有する。断熱スペーサ５０及び本体部５１は、見込み部８Ａの固定部８Ｅに配置されて、固定部８Ｅに取り付けられる。また、断熱パネル１は、丁番１１と連結される裏板６０を備える。裏板６０は、矩形状の板部材（連結板）であり、見込み部８Ａにおける本体部５１の反対側に配置される。取付部材（ここでは、リベット）（図示せず）が、裏板６０の取付孔６１と見込み部８Ａの取付孔８Ｆに挿入されて、裏板６０を見込み部８Ａ（固定部８Ｅ）に取り付ける。
【００３３】
断熱スペーサ５０の突起５２は、見込み部８Ａの取付孔８Ｄと裏板６０の取付孔６２（例えば、ネジ孔）に挿入されて、２つの取付孔８Ｄ、６２に嵌め込まれ、見込み部８Ａの取付孔８Ｄ内と裏板６０の取付孔６２内に取り付けられる。突起５２により、断熱スペーサ５０が縦骨材８及び裏板６０に取り付けられるとともに、裏板６０が縦骨材８に取り付けられる。裏板６０は、縦骨材８の内側に収容されて、一対の壁部８Ｂの間に配置される。
【００３４】
丁番１１は、連結部材（例えば、ネジ）（図示せず）により裏板６０に連結されて、見込み部８Ａの固定部８Ｅに固定される。連結部材は、突片４２の貫通孔（図示せず）、断熱スペーサ５０の貫通孔５５、及び、見込み部８Ａの貫通孔８Ｇを貫通した状態で、裏板６０の固定孔６３（例えば、ネジ孔）に固定される。断熱スペーサ５０の本体部５１と一対の表面材４０の突片４２は、縦骨材８の見込み部８Ａと丁番１１の間に挟まれる。丁番１１と裏板６０は、突片４２、本体部５１、及び、見込み部８Ａを互いの間に挟み込んで、見込み部８Ａ（固定部８Ｅ）に固定される。
【００３５】
以上説明した断熱パネル１では、断熱スペーサ５０が取り付けられた縦骨材８の見込み部８Ａに、一対の表面材４０の突片４２を対向させて配置するときに、一対の覆い部５４により、一対の表面材４０の突片４２が断熱スペーサ５０と見込み部８Ａの間に差し込まれるのを防止することができる。そのため、見込み部８Ａと突片４２の間に断熱スペーサ５０を確実に配置でき、断熱パネル１の断熱性能を確保することができる。また、突片４２の配置をやり直す必要がなく、突片４２の差し込みがないか確認する必要もない。従って、断熱パネル１の組み立ての作業効率を向上させることができる。
【００３６】
一対の覆い部５４を見込み部８Ａの両側に配置することで、突片４２が断熱スペーサ５０と見込み部８Ａの間に差し込まれるのを、より確実に防止することができる。また、一対の覆い部５４により、断熱スペーサ５０の回転等を防止して、断熱スペーサ５０を見込み部８Ａに正確に配置することができる。突起５２により、断熱スペーサ５０を縦骨材８に容易に取り付けることができる。断熱スペーサ５０の凹部５３により、帯状部材３３の位置決めを容易に行え、より正確に帯状部材３３を見込み部８Ａに配置することができる。
【００３７】
なお、見込み部８Ａの取付孔８Ｄ内のみに突起５２を取り付けてもよく、裏板６０の取付孔６２内のみに突起５２を取り付けてもよい。断熱スペーサ５０の凹部５３を本体部５１の一端部のみに設けてもよく、凹部５３を本体部５１に設けなくてもよい。縦骨材８の見込み部８Ａにおいて、丁番１１の固定部８Ｅ以外の位置に断熱スペーサ５０を配置してもよい。１つの断熱スペーサ５０を縦骨材８に取り付けてもよく、複数の断熱スペーサ５０を縦骨材８に取り付けてもよい。
【００３８】
次に、他の実施形態の断熱パネルについて、第１実施形態の断熱パネル１と相違する事項を説明する。他の実施形態の断熱パネルに関し、第１実施形態の断熱パネル１の構成に相当する構成には、断熱パネル１の構成と同じ名称と符号を用い、第１実施形態の断熱パネル１と同じ事項の説明は省略する。
【００３９】
（第２実施形態）
図５は、第２実施形態の断熱パネル２の断面図であり、図３と同様に、断熱パネル２の横断面図を示している。図６は、第２実施形態の断熱パネル２を分解して示す斜視図であり、図４と同様に、断熱スペーサ５０を含む断熱パネル２の一部を示している。
図示のように、断熱パネル２の縦骨材８は、見込み部８Ａの両側の縁部８Ｃに位置する一対の孔部８Ｈを有する。縦骨材８の孔部８Ｈは、細長い孔（長孔）であり、見込み部８Ａの縁部８Ｃから壁部８Ｂまで形成される。
【００４０】
孔部８Ｈは、見込み部８Ａの縁部８Ｃに沿って形成されて、縦骨材８の長手方向に延びる。孔部８Ｈの幅は、裏板６０の厚さよりも広く、孔部８Ｈの長さは、裏板６０の長さよりも長い。そのため、裏板６０が孔部８Ｈを通過可能になっている。裏板６０は、縦骨材８の外側から孔部８Ｈを通過して、見込み部８Ａにおける本体部５１の反対側（縦骨材８の内側）に配置される。その状態で、断熱スペーサ５０の突起５２は、見込み部８Ａの取付孔８Ｄと裏板６０の取付孔６２に嵌め込まれて、２つの取付孔８Ｄ、６２内に取り付けられる。
【００４１】
断熱スペーサ５０の一対の覆い部５４は、裏板６０を係止する一対の係止部であり、裏板６０に引っ掛かるフック部５６を有する。フック部５６は、係止突起であり、覆い部５４の先端部に形成されて、裏板６０側に向かって突出する。一対の覆い部５４が縦骨材８の一対の孔部８Ｈに配置されて、裏板６０が一対の覆い部５４の間に挟まれる。一対の覆い部５４は、見込み部８Ａと本体部５１の間の部分、見込み部８Ａの両側の縁部８Ｃ、及び、裏板６０の両側の縁部を覆う。
【００４２】
一対の孔部８Ｈで、一対の覆い部５４は、裏板６０の両側に配置され、互いの間に裏板６０を挟んで、裏板６０を係止する。裏板６０は、一対の覆い部５４のフック部５６に引っ掛けられて、一対の覆い部５４により、縦骨材８の見込み部８Ａに係止される。断熱スペーサ５０の突起５２と一対の覆い部５４により、裏板６０が縦骨材８に取り付けられる。このように、断熱パネル２では、断熱スペーサ５０により、裏板６０を縦骨材８に容易に取り付けることができる。
【００４３】
（第３実施形態）
図７は、第３実施形態の断熱パネル３の断面図であり、図５と同様に、断熱パネル３の横断面図を示している。
図示のように、断熱パネル３では、第２実施形態の断熱パネル２に対して、断熱スペーサ５０の一対の覆い部５４のみが相違する。一対の覆い部５４は、フック部５６を有さず、縦骨材８の一対の孔部８Ｈに配置される。
【００４４】
以上、本発明を縦骨材８に適用した例について説明したが、本発明は、縦骨材８以外の骨材（例えば、骨材５〜７）に適用してもよい。また、建具は、ドアに限定されず、断熱パネルを備えた他の建具であってもよい。本発明は、建具の断熱パネル（例えば、戸、障子、開閉体）に限定されず、種々の断熱パネルに適用することもできる。断熱パネルは、移動可能な断熱パネルであってもよく、固定された断熱パネルであってもよい。
【符号の説明】
【００４５】
１・・・断熱パネル、２・・・断熱パネル、３・・・断熱パネル、４・・・骨組体、５・・・上骨材、６・・・下骨材、７・・・縦骨材、８・・・縦骨材、１０・・・建具、１１・・・丁番、１２・・・施錠機構、１３・・・ハンドル、２０・・・枠体、２１・・・開口部、２２・・・上枠、２３・・・下枠、２４・・・縦枠、２５・・・縦枠、３０・・・カバー部材、３１・・・断熱ライナー、３２・・・断熱部品、３３・・・帯状部材、３４・・・断熱板、３５・・・脚部、３６・・・取付部材、４０・・・表面材、４１・・・対向部、４２・・・突片、５０・・・断熱スペーサ、５１・・・本体部、５２・・・突起、５３・・・凹部、５４・・・覆い部、５５・・・貫通孔、５６・・・フック部、６０・・・裏板、６１・・・取付孔、６２・・・取付孔、６３・・・固定孔。
【図１】
2018178431.tif 000003
【図２】
2018178431.tif 000004
【図３】
2018178431.tif 000005
【図４】
2018178431.tif 000006
【図５】
2018178431.tif 000007
【図６】
2018178431.tif 000008
【図７】
2018178431.tif 000009